(57)【要約】【課題】、穂からサンプル籾を脱穀する作業を効率的に行う。【解決手段】一穂脱穀器１は、凹状の下皿体２と、下皿体２の外周縁部２Ａに重なり合う外周縁部３Ａを備えた上蓋体３と、下皿体２に対して上蓋体３を開閉自在に連結する連結部４とを備え、重なり合う下皿体２と上蓋体３の外周縁部２Ａ，３Ａが、下皿体２内に籾部を配置し外周縁部２Ａ，３Ａを介して穂軸を外に出した穂から籾をそぎ取るそぎ取り部となる。【選択図】図１
2014117203.tif 000002
【特許請求の範囲】
【請求項１】
凹状の下皿体と、該下皿体の外周縁部に重なり合う外周縁部を備えた上蓋体と、前記下皿体に対して前記上蓋体を開閉自在に連結する連結部とを備え、
重なり合う前記下皿体と前記上蓋体の外周縁部が、前記下皿体内に籾部を配置し当該外周縁部を介して穂軸を外に出した穂から籾をそぎ取るそぎ取り部となることを特徴とする一穂脱穀器。
【請求項２】
前記上蓋体は当該上蓋体と前記下皿体とを開閉する際の持ち手部を備えることを特徴とする請求項１記載の一穂脱穀器。
【請求項３】
前記下皿体の内部に当該下皿体の外周縁部の一辺に沿った上縁部を有する仕切り部を設け、前記上蓋体に前記上縁部に重なる下縁部を設けたことを特徴とする請求項１又は２記載の一穂脱穀器。
【請求項４】
前記下皿体と前記上蓋体の間に、前記下皿体の外周縁部に重なる下面と前記上蓋体の外周縁部に重なる上面を有する中間板体を備えることを特徴とする請求項１又は２記載の一穂脱穀器。
【発明の詳細な説明】
【技術分野】
【０００１】
本発明は、一穂単位で穂から籾を脱穀する一穂脱穀器に関するものである。
【背景技術】
【０００２】
近年の夏季気温の上昇などの異常気象に対して高品質を維持できる水稲の品種改良が求められており、品質試験が試験点数を増やして頻繁に行われている。収穫後の品質調査は、脱穀、籾すり、米選を経て行われる。
【０００３】
稲の育種は主に交配育種で行われ、個体選抜と系統選抜を組み合わせた選抜が行われる。個体選抜では、交配した種子は次年度に圃場に１株１本植えして、優れた株や穂の選抜がなされる。系統選抜では、交配して何世代か経過した育成系統の選抜過程で、同じ交配系統の苗を１株１〜数本植えして、生育特性の優れた株や穂の選抜がなされる。
【０００４】
一方、稲等の栽培や土壌肥料の研究で行われる収量調査では、一定面積（約３平米＝１坪ほど）を刈り取る所謂坪刈りが行われる。収量調査では、登熟や品質、タンパク質含量などにも関係する平米当たり籾数が調査される。この平米当たり籾数の算出には、前述した坪刈りとは別に代表株を刈り取る調査がなされる場合がある。この場合、平均穂数に近い代表株を数株刈り取って、籾数の計測が行われる。この場合の平米当たり籾数は、穂数と一穂籾数の積により求められるので、一穂毎に脱穀して籾数を計測することが必要になる。
【０００５】
また収穫米の調査として、圃場１筆の玄米におけるカドニウム含量や品質などを知りたい場合がある。このような場合は、圃場の３〜５箇所から坪刈りを行うのが通常であるが、それとは別の方法として、圃場全体から最長稈穂を１００〜２００穂採取して求める方法がある。この場合、採取された穂が植わっている箇所の土壌成分との関係を知るためには、一穂毎に脱穀した籾の玄米から計測値を求めることが必要になる。
【発明の概要】
【発明が解決しようとする課題】
【０００６】
前述したように、稲の品質調査は収穫後の脱穀、籾すり、米選を経て行われ、籾すりや米選は調査対象のサンプル材料が少量であっても容易に行うことができるが、脱穀については１穂などの少量サンプルでは手作業に頼らざるを得ず、その対応に苦慮していた。
【０００７】
前述した稲の交配育種における個体選抜や系統選抜では、選抜された穂から籾を脱穀し、玄米にして品質判定などが行われる。この際、多量の選抜材料の脱穀は小型脱穀機などの従来機械が用いられるが、「切り穂」などの少量サンプルの場合は、機械にかける際に手で持つところがないため、手作業での脱穀がなされており、効率的な籾のサンプリングを行うことができない問題があった。また、穂単位での脱穀を手作業で行った場合には、異なる穂の籾が混ざってしまうことがあり異品種が混入して精度が低下する懸念があった。
【０００８】
また、収量調査において、坪刈りで平米当たり籾数を求める場合は、一般に小型脱穀機が用いられるが、機械脱穀によると脱穀後のサンプル籾に多くの枯葉や枝梗など塵が混入するためそれを除去する作業に時間を要する問題があった。サンプル籾の中には中身が入っている（精）籾と入っていない（しいな）籾があり、収量調査時に計測される一穂籾数にはしいな籾を含める必要があるため、篩選や唐箕による風選では塵の除去ができず、手作業で籾と塵の選別を行わざるを得ない問題があった。
【０００９】
本発明は、このような問題に対処することを課題の一例とするものである。すなわち、穂からサンプル籾を脱穀する作業を効率的に行うことができること、一穂単位でサンプル籾を得る際に異なる穂の籾がサンプル中に混入するのを防ぐことができること、しいな籾を含めた一穂籾数を求める際に籾と塵の選別作業を行うこと無くサンプル籾を得ることができること、などが本発明の目的である。
【課題を解決するための手段】
【００１０】
このような目的を達成するために、本発明による一穂脱穀器は、以下の構成を少なくとも具備するものである。
【００１１】
凹状の下皿体と、該下皿体の外周縁部に重なり合う外周縁部を備えた上蓋体と、前記下皿体に対して前記上蓋体を開閉自在に連結する連結部とを備え、重なり合う前記下皿体と前記上蓋体の外周縁部が、前記下皿体内に籾部を配置し当該外周縁部を介して穂軸を外に出した穂から籾をそぎ取るそぎ取り部となることを特徴とする一穂脱穀器。
【発明の効果】
【００１２】
このような特徴を有する一穂脱穀器によると、下皿体と上蓋体の間で籾の付いた穂を挟み、下皿体内に籾部を配置して、互いに重なる下皿体と上蓋体の外周縁部を介して穂軸を外に配置する。この状態で下皿体の外周縁部に上蓋体の外周縁部を押し付けながら外に配置されている穂軸を引くことで、下皿体と上蓋体の外周縁部によって穂から籾がそぎ取られ、穂からそぎ取られた籾は下皿体の容器内に収容される。
【００１３】
このような一穂脱穀器を用いることで一穂単位の脱穀を簡易且つ効率的に行うことができる。一穂から脱穀されたサンプル籾はそのまま下皿体の容器内に収められるので、異なる穂から脱穀された他のサンプル籾が混入することがない。また、下皿体に上蓋体を重ねた状態で脱穀が行われるので、脱穀されたサンプル籾中に塵などが混入することを抑止でき、籾と塵などを選別すること無くサンプル籾を得ることができる。
【図面の簡単な説明】
【００１４】
【図１】本発明の一実施形態に係る一穂脱穀器の全体構成を示した斜視図である。
【図２】本発明の実施形態に係る一穂脱穀器を用いた脱穀方法（一穂脱穀器の使用方法）を示した説明図である。
【図３】本発明の実施形態に係る一穂脱穀器を用いた脱穀方法（一穂脱穀器の使用方法）を示した説明図である。
【図４】本発明の実施形態に係る一穂脱穀器の他の形態例を示した説明図である。
【図５】本発明の実施形態に係る一穂脱穀器の他の形態例を示した説明図である。
【発明を実施するための形態】
【００１５】
以下、図面を参照しながら本発明の実施形態を説明する。図１は本発明の一実施形態に係る一穂脱穀器の全体構成を示した斜視図である。一穂脱穀器１は、基本構成として、下皿体２，上蓋体３，連結部４を備えている。下皿体２は凹状の皿体であり、外周縁部２Ａの内側がサンプル籾を収容する容器になっている。図示の例では、下皿体２は外周縁部２Ａが矩形状になっているが、これに限らず、円形又は楕円形の外周縁部２Ａを有する形態などであってもよい。下皿体２の内側容積や深さは、処理する穂の数量などに応じて適宜設定することができる。
【００１６】
上蓋体３は、下皿体２の外周縁部２Ａに重なり合う外周縁部３Ａを備えている。上蓋体３は、図示の例では下皿体２を逆さにした凸状体として示しているが、これに限らず下皿体２の外周縁部２Ａを覆う蓋状の部材であればよく、例えば、平坦な板状部材であってもよい。図示の例では、上蓋体３は上蓋体３と下皿体２とを開閉する際の持ち手部３Ｂを備えている。
【００１７】
連結部４は、下皿体２に対して上蓋体３を開閉自在に連結するものであればよく、例えば、薄板状の屈曲部材の一端側を下皿体２の外面に貼り付け他端側を上蓋体３の外面に貼り付けたものや、下皿体２の外周縁部２Ａの一辺と上蓋体３の外周縁部３Ａの一辺を連結する蝶番部などで構成することができる。
【００１８】
図２及び図３は、本発明の実施形態に係る一穂脱脱穀器を用いた脱穀方法（一穂脱穀器の使用方法）を示した説明図である。先ず、図２に示すように、下皿体２を開放した状態で、籾Ｗ１の付いた穂（稲穂）Ｗを下皿体２と上蓋体３の間に配置する。この際、下皿体２内に籾（籾部）Ｗ１を配置し、外周縁部２Ａを介して穂軸Ｗ２が外に出た状態にする。
【００１９】
その状態で、図３（ａ）に示すように下皿体２の上に上蓋体３を被せ、下皿体２の外周縁部２Ａの上に上蓋体３の外周縁部３Ａを重ねる。この状態で下皿体２に上蓋体３を押し付けながら穂軸Ｗ２を引くことで、下皿体２の外周縁部２Ａと上蓋体３の外周縁３Ａによって穂Ｗに付いていた籾Ｗ１がそぎ取られる。すなわち、重なり合う下皿体２の外周縁部２Ａと上蓋体３の外周縁部３Ａが、穂Ｗから籾Ｗ１をそぎ取るそぎ取り部となり、図３（ｂ）に示すように、穂Ｗからそぎ取られた籾Ｗ１は下皿体２の容器内に収容されることになる。
【００２０】
図４は、本発明の実施形態に係る一穂脱穀器の他の形態例を示した説明図である。この一穂脱穀器１（１Ａ）も基本構成は前述した例と同じであり、下皿体２，上蓋体３，連結部４を備えている。この例の一穂脱穀器１（１Ａ）は、下皿体２の内部に下皿体２の外周縁部２Ａの一辺に沿った上縁部２Ｂ１を有する仕切り部２Ｂが設けられ、上蓋体３に前述した上縁部２Ｂ１に重なる下縁部３Ｃを設けたものである。この例では、下皿体２に上蓋体３を重ねることで、上縁部２Ｂ１と下縁部３Ｃが重なることになり、この上縁部２Ｂ１と下縁部３Ｃが外周縁部２Ａ，２Ｂとは別のそぎ取り部になる。上縁部２Ｂ１と下縁部３Ｃによるそぎ取り部は図示のように下皿体２の内部に複数設けることができる。このような形態例によると、一回の引き動作でより確実に穂Ｗから籾Ｗ１を脱穀することができる。
【００２１】
図５は、本発明の実施形態に係る一穂脱穀器の他の形態例を示した説明図である。この一穂脱穀器１（１Ｂ）も基本構成は前述した例と同じであり、下皿体２，上蓋体３，連結部４を備えている。この例の一穂脱穀器１（１Ｂ）は、図５（ａ），（ｂ）に示すように、下皿体２と上蓋体３の間に、下皿体２の外周縁部２Ａに重なる下面５Ａと上蓋体３の外周縁部３Ａに重なる上面５Ｂを有する中間板体５を備えている。この中間板体５は連結部４によって一体に連結されていても連結されていなくてもよい。中間板体５は中央部が開口されており、中間板体５の上側空間と下側空間が開口部を介して連通している。このような形態例によると、図５（ｂ）に示すように、下皿体２と中間板体５との間と上蓋体３と中間板体５との間の両方に穂Ｗ（穂軸Ｗ２）を挟むことができるので、２つの穂Ｗを一度に脱穀することができ、作業効率をより高めることができる。
【００２２】
前述した一穂脱穀器１は、脱穀機にかけることができない「切り穂」などの少量サンプルの脱穀に有効であり、稲の育種の一穂脱穀を行う際には異品種混入の心配が無い。また、下皿体２内に収容されるサンプル籾には塵の混入が無いので、籾と塵の選別を排除することができ、しいな籾を含むサンプル籾の回収には特に適する。
【００２３】
精密な温度制御や光量を制御した人工気象室を用いた栽培などでは、主茎など特定の分げつ茎だけを対象としてサンプル籾を得たい場合があるが、そのような場合に前述した一穂脱穀器１を用いることで、一穂ずつ茎を区別してサンプル籾を得て、粒数計測や玄米品質判機による分析などを行うことができるので、信頼性の高いデータを得ることが可能になる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２５】
１（１Ａ，１Ｂ）：一穂脱穀器，
２：下皿体，２Ａ：外周縁部，２Ｂ：仕切り部，２Ｂ１：上縁部，
３：上蓋部，３Ａ：外周縁部，３Ｂ：持ち手部，３Ｃ：下縁部，
４：連結部，
５：中間板体，５Ａ：下面，５Ｂ：上面，Ｗ：穂，Ｗ１：籾，Ｗ２：穂軸
【図１】
2014117203.tif 000003
【図２】
2014117203.tif 000004
【図３】
2014117203.tif 000005
【図４】
2014117203.tif 000006
【図５】
2014117203.tif 000007